(57)【特許請求の範囲】
【請求項１】
かご室を有し、そのかご室の少なくとも天井の一部を含む外壁が透明部材からなる透明部となっている展望エレベータにおける天井に設けられる作業台装置であって、
前記かご室における天井の上に起伏動可能に設けられ、その起立時には前記天井の透明部から離反するとともに前記天井の上に設けられた作業用の固定手摺りに係止され、倒伏時には前記固定手摺りとの係止が解除され前記透明部に対向して該透明部のほぼ全体を覆うように配置される作業台を具備することを特徴とする展望エレベータの作業台装置。
【請求項２】
前記かご室の上方部には、前記作業台を倒伏させたときに、その倒伏する作業台の上方空間内に引出して作業台の上方の周囲空間を囲むことが可能な可動手摺りが設けられていることを特徴とする請求項１に記載の展望エレベータの作業台装置。
【請求項３】
前記作業台を倒伏状態から起立させた際に、その作業台を起立状態に係止する係止手段が設けられていることを特徴とする請求項１または２に記載の展望エレベータの作業台装置。
【請求項４】
前記作業台が倒伏状態から起立状態に復帰するときに、その復帰の動作を検出して復帰の操作忘れを防止する操作忘れ防止手段を備えることを特徴とする請求項１ないし３のいずれかに記載の展望エレベータの作業台装置。
【発明の詳細な説明】
【技術分野】
【０００１】
この発明は、かご室内からその外部の景色を展望することが可能な展望エレベータの作業台装置に関する。
【背景技術】
【０００２】
展望エレベータにあっては、かご室の出入口の反対側の背面や、その背面側の側面や天井面がガラス等の透明板からなる透明部となっており、この透明部を通して乗客がかご室内から外部の景色を展望することができるようになっている。
【０００３】
このような展望エレベータにあっては、かご室の天井の上に作業員が乗ってメンテナンス等の作業を行なう際に、天井面の一部がガラス等の透明板からなる透明部となっているから、その透明板の上に作業員が直接乗ると、透明板を傷付けたり破損してしまう恐れがあり、したがって透明板の領域を避けながら作業を行なわなければならず、作業スペースが限られ、作業能率が低下するという問題がある。
【０００４】
このため、従来では、かご室の天井の上のかご枠に作業台を固定して取り付け、あるいは脱着可能に取り付け、その作業台の上でメンテナンス等の作業を行なうようにしている。
【発明の開示】
【発明が解決しようとする課題】
【０００５】
しかしながら、作業台をかご枠に固定して取り付けると、かご室の天井面がその作業台で覆われる状態となり、この結果、かご室内の乗客が外部を展望しようとするときに、その作業台が見えて景観が悪化し、さらに視界も狭められてしまう。
【０００６】
また、作業時に作業台をかご枠に着脱可能に取り付け、作業の終了後にその作業台を取り外すような場合には、その作業の都度、作業台をかご枠に対して着脱するという面倒で煩わしい作業が必要で、さらにその取り外した作業台の保管場所を確保しなければならないという問題が生じる。
【０００７】
この発明はこのような点に着目してなされたもので、その目的とするところは、作業台がかご室内からの展望の妨げとならず、かつ作業台を着脱することなく、メンテナンス等の作業時に作業台を有効に用いて能率よく作業を進めることができる展望エレベータの作業台装置を提供することにある。
【課題を解決するための手段】
【０００８】
請求項１の発明は、かご室を有し、そのかご室の少なくとも天井の一部を含む外壁が透明部材からなる透明部となっている展望エレベータにおける天井に設けられる作業台装置であって、前記かご室における天井の上に起伏動可能に設けられ、その起立時には前記天井の透明部から離反するとともに前記天井の上に設けられた作業用の固定手摺りに係止され、倒伏時には前記固定手摺りとの係止が解除され前記透明部に対向して該透明部のほぼ全体を覆うように配置される作業台を具備することを特徴としている。
【０００９】
請求項２の発明は、前記かご室の上方部には、前記作業台を倒伏させたときに、その倒伏する作業台の上方空間内に引出して作業台の上方の周囲空間を囲むことが可能な可動手摺りが設けられていることを特徴としている。
【００１０】
請求項３の発明は、前記作業台を倒伏状態から起立させた際に、その作業台を起立状態に係止する係止手段が設けられていることを特徴としている。
【００１１】
請求項４の発明は、前記作業台が倒伏状態から起立状態に復帰するときに、その復帰の動作を検出して復帰の操作忘れを防止する操作忘れ防止手段を備えることを特徴としている。
【発明の効果】
【００１２】
この発明によれば、作業台がかご室内からの展望の妨げとならず、かつ作業台を着脱することなく、メンテナンス等の作業時にその作業台を有効に用いて能率よく作業を進めることができる。
【発明を実施するための最良の形態】
【００１３】
以下、この発明の実施の形態について図面を参照して説明する。
【００１４】
図１には展望エレベータの外観図を、図２にはその展望エレベータと昇降路の断面の構成図をそれぞれ示してある。
【００１５】
図１および図２に示すように、展望エレベータ１はかご室２と、このかご室２を囲むようにその外周に設けられたかご枠３とを備えている。かご室２は前部側の主部５と、この主部５の背部に連なる展望部６とを有し、主部５はその外周が金属板等の外装パネル７で構成され、展望部６はその下部を除く、側面、背面、天井面がそれぞれガラス等の透明部材８で構成され、その下部の外周が金属板等の外装パネル９で構成されている。すなわち、かご室２は少なくとも天井の一部を含む外壁が透明部材８からなる透明部となっている。
【００１６】
また、展望エレベータ１が昇降する昇降路１０は、建物等の外壁１１の外側にガラス等の透明部材からなる囲い壁１２を設けてなり、この昇降路１０内で展望エレベータ１が昇降し、そのかご室２内の乗客が展望部６の透明部材８および昇降路１０の囲い壁１２を通して外部の景色を展望することができるようになっている。
【００１７】
なお、建物等の外壁１１およびかご室２の前面壁にはそれぞれ出入口１５，１６が形成され、その各出入口１５，１６にそれぞれドア装置（図示せず）が設けられている。
【００１８】
展望エレベータ１のかご枠３は、かご室２における主部５の天井の上方に延びている。そして、このかご枠３の上部に、図３に示すように支持部材２０及び腕部材２１がかご室２における主部５の天井と対向して取り付けられている。
【００１９】
支持部材２０はかご室２の幅方向に水平に延び、この支持部材２０の両端部および前記腕部材２１の上にそれぞれ支柱２４，２５が取り付けられ、これら支柱２４，２５の上端部間に上下二段に固定手摺り２７が水平に架設されている。これら上下二段の固定手摺り２７は、かご室２の両側部上方にその両側部に沿うように配置されている。
【００２０】
各固定手摺り２７には図３〜図５に示すようにガイドパイプ２９が取り付けられ、これらガイドパイプ２９内にかご室２の背部側から可動手摺り３０がスライド自在に挿入されている。なお、図３はかご室２の天井上の構造を示す側面図、図４は図３中のＡ−Ａ線に沿う断面図、図５はかご室２の天井上の手摺り機構の構造を示す側面図、図６はその手摺り機構をかご室２の背面側から見た一部の構造を示す正面図である。
【００２１】
上下に平行に並ぶ可動手摺り３０の端部相互は図６に示すようにプレート３１で連結され、また左右に並ぶ上段側の可動手摺り３０の端部相互は横梁３２で連結され、この横梁３２の表面側に補助梁３３が設けられている。この補助梁３３は通常時には横梁３２の表面に重なるように配置され、必要に応じて前記プレート３１の表面に設けられたガイド棒３４に沿って下方に平行に移動させて横梁３２の一段下方に配置させることができるようになっている。
【００２２】
可動手摺り３０は、通常時には前記プレート３１が支柱２４に接するように固定手摺り２７の奥方部まで挿入され、止め具３５ａで係止され、必要に応じてかご室２の背部側に所定の長さだけ引き出し、止め具３５ｂでその位置に係止することができるようになっている。
【００２３】
前記支持部材２０の下部には支軸３９を介して作業台４０が回動自在に枢着されている。
【００２４】
この作業台４０は前記展望部６の天井透明部のほぼ全体を覆うことが可能な広がりを有し、前記支軸３９を支点に起立状態からほぼ水平な倒伏状態に回動して前記天井透明部を覆うことが可能となっている。そして支軸３９に対する作業台４０の枢着部には、図８および図９に示すように、作業台４０を起立状態から緩やかな動作で倒伏状態に回動させるロータリー式のダンパー４２が設けられている。なお、図８は図４中のＣ−Ｃ線に沿う断面図で、図９は図４中のＣ−Ｃ線に沿う断面図である。
【００２５】
前記支持部材２０の中間部には、図４および図７に示すように、支持パネル４３が起立状態に設けられている。そしてこの支持パネル４３の両側部と作業台４０の内面との間、および前記両支柱２４と作業台４０内面との間に、作業台４０の起伏動作に応じて伸縮開閉してその作業台４０の倒伏時の荷重を支えるリンク機構４５がそれぞれ設けられている。
【００２６】
また、支持パネル４３の上部にはホイスト４７が取り付けられ、このホイスト４７から導出されたチエーン４８が作業台４０の自由端側の端部に連結され、前記ホイスト４７を操作することにより倒伏状態の作業台４０を軽い力で引き上げて起立させることができるようになっている。
【００２７】
作業台４０の自由端側の端面の両側部には係止片５０が設けられ、作業台４０の起立状態のもとで図１０に示すように前記係止片５０が前記固定手摺り２７の上面に重なり、かつその係止片５０がねじ式の止め具５１により固定手摺り２７に係脱可能に係止され、この係止で作業台４０の起立状態が保持され、また前記止め具５１を外すことによりその係止を解除することができるようになっている。なお、図１０は図３中のＢ部の拡大図である。
【００２８】
さらに、作業台４０の自由端側の端部の内側には、図１１に示すように、ねじ棒５３が回動可能に設けられ、作業台４０の起立時にそのねじ棒５３が上方に起立する状態から下方に回動して前記支持パネル４３の上端縁部に形成されている係止溝（図示せず）内に挿入し、かつそのねじ棒５３に蝶ナット５４を螺着して締め付けることにより、作業台４０を支持パネル４３に係止してその起立状態を保持することができ、また前記蝶ナット５４を緩め、かつねじ棒５３を上方に回動することによりその係止を解除することができるようになっている。
【００２９】
支持パネル４３には、作業台４０の操作忘れ防止手段としての検出スイッチ５７が設けられている。この検出スイッチ５７は作業台４０の起伏動作に応じてオンオフするスイッチ素子を有し、作業台４０が所定の起立状態に復帰していないときに例えば展望エレベータ１の運転回路を開放状態に保持するようになっている。
【００３０】
なお、図３に示す４６は、かご室２の天井下に取り付けられたかご室内照明用の照明装置である。
【００３１】
次に、作用について説明する。
【００３２】
通常時には、作業台４０は所定の起立状態に保持され、この状態で展望エレベータ１が運転され、かご室２内の乗客が展望部６の各透明部材８を通して外部を展望することができる。この際、もし作業台４０が展望部６の天井透明部の上に重なっているとなれば、それが見苦しく見え、また展望の視界が妨げられるが、作業台４０は展望部６の天井透明部から離反する起立状態にあり、したがってその作業台４０が展望の邪魔や妨げとなることがなく、良好に展望することができる。
【００３３】
一方、展望エレベータ１のメンテナンス等の作業時には、展望エレベータ１の運転を停止し、作業員が昇降路１０内に入り込んでかご室２の天井の上に乗り込む。そして、止め具５１を外し、また蝶ナット５４を緩めてねじ棒５３を上方に回動して支持パネル４３に対する作業台４０の係止を解除する。
【００３４】
次に、ホイスト４７を操作して起立状態の作業台４０を支軸３９を中心にかご室２の背方側に回動してほぼ水平な倒伏状態に倒す。この際、支軸３９にはダンパー４２が設けられているから、作業台４０は緩やかに回動し、安全に倒伏する。
【００３５】
この後、固定手摺り２７から止め具３５ａを外し、可動手摺り３０を固定手摺り２７の内側からかご室２の背方側に向けて所定の長さまで引き出す。そして所定の長さまで引き出した可動手摺り３０を止め具３５ｂで固定手摺り２７に係止してその位置に固定する。次に、可動手摺り３０の先端部の横梁３２に重なっている補助梁３３をガイド棒３４に沿って下方に移動し、横梁３２と補助梁３３とが上下平行に並ぶように支持する。
【００３６】
この後、作業台４０の上に作業員が乗り込み、展望エレベータ１のメンテナンス作業や昇降路１０の囲い壁１２の内面の清掃作業等を行なう。かご室２の天井上の作業領域は作業台４０の展開で広がっており、したがって作業員がかご室２の天井上の所要位置にまで自由に移動しながら効率よく作業を進めることができる。
【００３７】
作業台４０はチエーン４８で支持されているから、作業員による荷重を十分に受け止めることができ、かご室２の天井上の作業領域の周囲は固定手摺り２７と可動手摺り３０で囲まれており、このため天井上から作業員が転落するような危険がなく、安全に作業を進めることができる。
【００３８】
一方、かご室２における展望部６の透明天井部はその全体の領域が作業台４０で覆われており、このため作業員がその透明天井部の上に直接乗り込むようなことがなく、その透明天井部を傷付けたり、破損するような恐れがない。
【００３９】
メンテナンス等の作業が終了した後には、可動手摺り３０の先端部の補助梁３３をガイド棒３４に沿って上方に引き上げて横梁３２に重ね合わせ、また止め具３５ｂを緩め、可動手摺り３０をガイドパイプ２９に沿って固定手摺り２７の内側に挿入して収納し、その収納した可動手摺り３０を止め具３５ａで固定手摺り２７に係止して固定する。
【００４０】
次に、ホイスト４７を操作し、チエーン４８を介して作業台４０を上方に引き上げ、支持パネル４３に閉じ合うように起立させる。そして止め具５１で作業台４０の上端の両側部を固定手摺り２７に係止し、さらにねじ棒５３を下方に回動し、蝶ナット５４を締め付けて作業台４０の幅方向の中間部を支持パネル４３に係止して固定する。
【００４１】
この後、展望エレベータ１の運転を再開する。この際、作業台４０は展望部６の透明天井部から離反する起立状態にあり、したがって作業台４０が視界の妨げとなることなく、良好に展望することができる。
【００４２】
ところで、作業台４０が起立状態から倒伏するときには、その動作で検出スイッチ５７がオフし、展望エレベータ１の運転回路が開放される。そしてメンテナンス等の作業が終了した後に再び作業台４０が適正に起立状態に戻されたときに、検出スイッチ５７がオンし、展望エレベータ１の運転が可能となる。
【００４３】
したがって、作業の終了後に作業台４０の引き上げの操作を忘れたような場合や、その起立状態が不完全な場合には、検出スイッチ５７がオンせずオフのまま維持され、展望エレベータ１の運転が不能となり、このため作業台４０の引き上げの操作忘れや起立状態の不完全さに気付くこととなり、その不用意な放置を防止することができる。
【００４４】
このように、本実施形態の作業台装置によれば、メンテナンス等の作業時にホイスト４７を操作して作業台４０を倒伏させることによりかご室２の天井上の作業領域を拡張して能率よくかつ安全に作業をすることができ、また作業の終了後に作業台４０を引き上げて起立させることにより、展望部６の透明天井部を開放して良好な展望を実現できる。そして、作業台４０をかご室２に着脱するような面倒な作業や、作業台４０を保管するスペースを確保するような煩わしい配慮を要することなく管理することができる。
【図面の簡単な説明】
【００４５】
【図１】この発明の一実施形態に係る作業台装置を備える展望エレベータの全体の外観を示す斜視図。
【図２】その展望エレベータと昇降路の断面構成図。
【図３】その展望エレベータの天井上の構造を示す側面図。
【図４】図３中の矢視Ａ−Ａ線から見た正面図。
【図５】展望エレベータの天井上の手摺り機構の構造を示す側面図。
【図６】その手摺り機構をかご室の背面側から見た一部切欠の正面図。
【図７】作業台の支持構造を示す側面図。
【図８】図４中の矢視Ｃ−Ｃ線から見た側面図。
【図９】図４中の矢視Ｄ−Ｄ線から見た側面図。
【図１０】図３中のＢ部の拡大図。
【図１１】図４中の矢視Ｅ−Ｅ線から見た側面図。
【符号の説明】
【００４６】
１…展望エレベータ、２…かご室、３…かご枠、５…主部、６…展望部、７…外装パネル、８…透明部材、１０…昇降路、９…外装パネル、１１…外壁、１２…囲い壁、２０…支持部材、２４…支柱、２５…支柱、２７…固定手摺り、２９…ガイドパイプ、３０…可動手摺り、３１…プレート、３２…横梁、３３…保持梁、３４…ガイド棒、３５ａ，３５ｂ…止め具、３９…支軸、４０…作業台、４２…ダンパー、４３…支持パネル、４５…リンク機構、４６…照明装置、４７…ホイスト、４８…チエーン、５０…係止片、５１…止め具、５３…ねじ棒、５４…蝶ナット、５７…検出スイッチ。
【図１】
0004619016.tif 000002
【図２】
0004619016.tif 000003
【図３】
0004619016.tif 000004
【図４】
0004619016.tif 000005
【図５】
0004619016.tif 000006
【図６】
0004619016.tif 000007
【図７】
0004619016.tif 000008
【図８】
0004619016.tif 000009
【図９】
0004619016.tif 000010
【図１０】
0004619016.tif 000011
【図１１】
0004619016.tif 000012